(57)【特許請求の範囲】
【請求項１】
後部ネットカバー（１１）と、駆動装置（１２）と、発熱部品（１３）と、ブレード（１４）と、を備え、
前記駆動装置（１２）と発熱部品（１３）は、前記後部ネットカバー（１１）内に設けられ、前記駆動装置（１２）の回転軸が、前記発熱部品（１３）を貫通して、前記ブレード（１４）に接続され、
前記後部ネットカバー（１１）は、前記ブレード（１４）と、前記発熱部品（１３）との間に位置し、前記後部ネットカバー（１１）には、環状の径方向送風通路（１１１）が設けられ、前記後部ネットカバー（１１）の前端は、前記径方向送風通路（１１１）に接続された環状の密閉風路（１１２）が形成される風路可変な冷暖房循環ファンであって、
前記径方向送風通路（１１１）の位置に、さらに、環状の風防リング（１５）が設けられ、前記環状の風防リング（１５）の軸方向寸法は、前記径方向送風通路（１１１）の軸方向寸法より大きいまたは等しいであり、前記環状の風防リング（１５）は、軸方向に前記径方向送風通路（１１１）の位置から出たり入ったりするように移動することにより、前記径方向送風通路（１１１）の開閉を制御することを特徴とする風路可変な冷暖房循環ファン。
【請求項２】
前記環状の風防リング（１５）は、筒状の環状シェルであり、前記後部ネットカバー（１１）の外側または内側にスリーブされ、前記後部ネットカバー（１１）と軸方向にスライド接続が形成されることを特徴とする請求項１に記載の風路可変な冷暖房循環ファン。
【請求項３】
前記後部ネットカバー（１１）には、軸方向にガイド溝またはガイド筋が設けられ、前記環状の風防リング（１５）のシェルに、ガイド筋またはガイド溝が対応して設けられ、前記環状の風防リング（１５）は、前記後部ネットカバー（１１）に沿って軸方向にスライドする可能であることを特徴とする請求項２に記載の風路可変な冷暖房循環ファン。
【請求項４】
前記発熱部品（１３）は、発熱ブラケット（１３１）と発熱体（１３２）と、を含み、
前記発熱ブラケット（１３１）内に、周方向に密閉された軸方向通風路（ａ）が形成され、前記発熱体（１３２）は、前記発熱ブラケット（１３１）の軸方向通風路（ａ）内に固定され、
前記発熱ブラケット（１３１）は前記後部ネットカバー（１１）と着脱可能な固定接続が形成され、前記ブレード（１４）が発生する風を、軸方向通風路（ａ）と発熱体（１３２）を通って前記環状の密閉風路（１１２）に入って、排出されるようにすることを特徴とする請求項１に記載の風路可変な冷暖房循環ファン。
【請求項５】
前記環状の風防リング（１５）は、前記発熱ブラケット（１３１）の内側に配置され、前記環状の風防リング（１５）に、トグルハンドル（１６）が設けられ、
前記トグルハンドル（１６）は、前記発熱ブラケット（１３１）に設けられた軸方向長手孔（ｂ）を径方向に貫通し、前記後部ネットカバー（１１）の外側面から突出し、
前記トグルハンドル（１６）を軸方向に動かすことにより、前記環状の風防リング（１５）が発熱ブラケット（１３１）の内側面に沿って移動され、前記環状の風防リング（１５）が徐々に前記後部ネットカバー（１１）上の径方向送風通路（１１１）を閉鎖または開放するようにすることを特徴とする請求項４に記載の風路可変な冷暖房循環ファン。
【請求項６】
前記軸方向通風路（ａ）は、円錐状風路であり、前記軸方向通風路（ａ）の通風断面の寸法は、前記ブレード（１４）に向かう方向に減少していくことを特徴とする請求項５に記載の風路可変な冷暖房循環ファン。
【請求項７】
前記径方向送風通路（１１１）は、前記後部ネットカバー（１１）に軸方向に配置された複数列のグリルまたは排気孔であることを特徴とする請求項１から６のいずれか一項に記載の風路可変な冷暖房循環ファン。
【請求項８】
前記後部ネットカバー（１１）の先端に前部ネット（１７）が設けられ、前記前部ネット（１７）と前記環状の密閉風路（１１２）とは着脱可能な固定接続が形成されることを特徴とする請求項７に記載の風路可変な冷暖房循環ファン。
【請求項９】
風路可変な冷暖房循環ファンであって、
前記冷暖房循環ファンには、さらに、前記後部ネットカバー（１１）の外側面と回転接続を形成するベース（２）が設けられる、
ことを特徴とする請求項１に記載の風路可変な冷暖房循環ファン。
【発明の詳細な説明】
【技術分野】
【０００１】
本発明は、空気調節の技術に関し、具体的に、風路可変な冷暖房循環ファンに関する。
【背景技術】
【０００２】
暖房器や扇風機が、現代家庭生活で必要な電気製品であり、現在の市販品は，単一の暖房器か、単一の扇風機であり、暖房器の暖房機能と扇風機のドライヤー機能とを兼ね備える製品、特に冷暖房循環ファンが少ない。冷暖房循環ファンは、暖房器としても使えるし、扇風機としても使え、多用途を実現する。冷暖房循環ファンの製品構造が固定的であり、軸流ファンブレードはいつも径方向と軸方向の両方向に同時に送風し、送風の風量が大きい。温風が送風されている時に、冷風が混じり、特に送風ネットの周辺で体感が良くない。
【０００３】
たとえば、中国の特許文献ＣＮ２０６９０３８９７において、自然風/温風両用の電気循環ファンが開示され、暖房器として使用する場合、径方向の送風は発熱体を通過していないため、吹き出される温風に、冷風が混じり、かつ風力が強いため、使用者に不快感を与える。冷暖房循環ファンの軸流ファンブレードが起因する暖房問題を解消するために、既存の冷暖房循環ファンの構造を最適化し、冷風の送風の風量に影響を与えずに暖房時の快適性を確保することが課題である
【発明の概要】
【発明が解決しようとする課題】
【０００４】
本発明は、既存の軸流型の冷暖房循環ファンにおける暖房の送風の風量が大きく、かつ吹き出される温風に冷風が混じり、使用者に不快感を与えるという技術的問題を解決することを目的とする。そこで本発明は、冷風の送風の風量の調節を実現することができ、暖房効果を高めることができる、風路可変な冷暖房循環ファンを提供する。
【課題を解決するための手段】
【０００５】
上記の目的を達成するために、本発明は、以下の技術的解決策を採用する。
【０００６】
後部ネットカバー、駆動装置、発熱部品及びブレード、を備え、
前記駆動装置と発熱部品は、前記後部ネットカバー内に設けられ、前記駆動装置の回転軸が、前記発熱部品を貫通して、前記ブレードに接続され、前記ブレードと前記発熱部品との間に位置する後部ネットカバーには、さらに環状の径方向送風通路が設けられ、前記後部ネットカバーの前端は、前記径方向送風通路に接続された環状の密閉風路が形成される風路可変な冷暖房循環ファンであって、
前記径方向送風通路の位置に、さらに、環状の風防リングが設けられ、前記環状の風防リングの軸方向寸法は、前記径方向送風通路の軸方向寸法より大きいまたは等しいであり、前記環状の風防リングは、軸方向に前記径方向送風通路の位置から出たり入ったりするように移動することにより、前記径方向送風通路の開閉を制御することを特徴とする風路可変な冷暖房循環ファン。
【０００７】
さらに、環状の風防リングは、筒状の環状シェルであり、前記後部ネットカバーの外側または内側にスリーブされ、前記後部ネットカバーと軸方向にスライド接続が形成される。
【０００８】
前記後部ネットカバーには、軸方向に配置されたガイド溝またはガイド筋が設けられ、前記環状の風防リングのシェルに、ガイド筋またはガイド溝が対応して設けられ、前記環状の風防リングは、前記後部ネットカバーに沿って軸方向にスライド可能である。
【０００９】
前記発熱部品は、発熱ブラケットと発熱体とを含み、前記発熱ブラケット内に、周方向に密閉された軸方向通風路が形成され、前記発熱体は、前記発熱ブラケットの軸方向通風路内に固定され、前記ブレードが発生する風を、前記軸方向通風路と発熱体を通って前記環状の密閉風路に入って、排出されるようにする。
【００１０】
前記環状の風防リングは、前記発熱ブラケットの内側に配置され、前記環状の風防リングに、トグルハンドルが設けられ、前記トグルハンドルは、前記発熱ブラケットに設けられた軸方向長手孔を径方向に貫通し、前記後部ネットカバーの外側面から突出し、前記トグルハンドルを軸方向に動かすことにより、前記環状の風防リングが発熱ブラケットの内側面に沿って移動されて、前記環状の風防リングが徐々に前記後部ネットカバー上の径方向送風通路を閉鎖または開放すると好ましい。
【００１１】
前記軸方向通風路は、円錐状風路であり、前記軸方向通風路の通風断面の寸法は、前記ブレードに向かう方向に減少していくと好ましい。
【００１２】
前記径方向送風通路は、前記後部ネットカバーに軸方向に配置された複数列のグリルまたは排気孔であると好ましい。
【００１３】
前記後部ネットカバーの先端に前部ネットが設けられ、前記前部ネットと前記環状の密閉風路とは着脱可能な固定接続が形成される。
【００１４】
風路可変な冷暖房循環ファンであって、前記冷暖房循環ファンには、さらに、前記後部ネットカバーの外側面と回転接続を形成するベースが設けられる。
【発明の効果】
【００１５】
本発明の技術的解決策は、以下の利点を有する。
【００１６】
１、本発明では、後部ネットカバーの径方向送風通路の位置に環状の風防リングが設けられ、環状の風防リングは、軸方向で移動することにより、径方向送風通路の開閉を制御し、冷風と温風を切り替え、温風が送風される時に冷風が混じる現象を完全に回避し、ユーザの体感を効率的に改善することができる一方、冷風が送風される時に、環状の風防リングを介して径方向送風通路の送風口の大きさを調節することができ、径方向に冷風が送風される風量を調節して、送風される総風量を制御し、さらにユーザの体感を良くする。
【００１７】
２、本発明は、円錐状の軸方向通風路を配置することにより、周囲の空気を効率的に収集して送風気流が形成され、均一かつ集中的に吹き出し、送風感が強く、かつ、構造が簡潔で新規である。環状の風防リングが軸方向に移動することにより、径方向送風通路の開閉を制御し、軸方向通風路から送風される風量に影響を与えずに径方向に送風される風量を調節することができ、暖房をする時に、ユーザにより柔らかい体感を与える。
【００１８】
３、本発明では、環状の風防リングと、円錐状の軸方向通風路とを配置することにより、製品の温風が送風される状態における性能を最適化するとともに、一定の空間範囲内の環境を急速に昇温させ、昇温時間を短縮させ、最短時間でユーザに暖かさを与え、体感がより快適である。
【図面の簡単な説明】
【００１９】
本発明の実施形態をより明確に説明するために、以下は、本発明の実施形態を説明するために必要な添付図面について簡単に説明する。明らかに、以下の説明における添付図面は、本発明のいくつかの実施形態を示しているにすぎず、当業者は、創造的な努力なしにこれらの添付図面から他の図面を依然として導出してもよい。
【図１】本発明が提供する冷暖房循環ファンの立体図である。
【図２】図１の本体の分解を示す立体図である。
【図３】図１の環状の風防リングを示す立体図である。
【図４】径方向及び軸方向に送風される状態における部分断面図である（環状の風防リングが開放された後、空気の流れを示す）。
【図５】径方向送風通路が閉鎖された後、軸方向に送風される状態における部分断面図である（環状の風防リングが閉鎖された後、空気の流れを示す）。
【図６】環状の風防リングが開放されている時に、冷風が送風される状態を示す図である。
【図７】環状の風防リングが閉鎖されている時に、温風が送風される状態を示す図である。
【発明を実施するための形態】
【００２０】
以下、本発明の実施形態における技術手段について、本発明の実施形態における図面を参照して以下に明確かつ完全に説明されるが、記載された実施形態は本発明の実施形態の一部にすぎず、全ての実施形態ではない。創造的な努力なしに本発明の実施形態に基づいて当業者によって得られる他のすべての実施形態は、本発明の範囲内である。
【００２１】
図１および図２に示すように、本発明の風路可変な冷暖房循環ファンは、一般に、本体１とベース２とを含み、本体１は、後部ネットカバー１１と、駆動装置１２と、発熱部品１３と、ブレード１４と、前部ネット１７と、を含み、前部ネット１７と環状の密閉風路１１２との間に着脱可能な固定接続が形成され、安全防護と送風の作用を備え、
駆動装置１２と発熱部品１３は、後部ネットカバー１１内に設けられ、駆動装置１２の回転軸が、発熱部品１３を貫通して、ブレード１４に接続され、
ブレード１４と発熱部品１３との間に位置する後部ネットカバーに、さらに環状の径方向送風通路１１１が設けられ、後部ネットカバー１１の前端は、環状の密閉風路１１２が形成されており、ここで、環状の密閉風路１１２は、孔のない板材で囲まれた筒状のシェルである。
【００２２】
後部ネットカバー１１は網状の構造であり、後端に密閉された送風グリル１１３が形成され、後部ネットカバー１１の内腔の底部にはモーター１２１が設けられ、モーターカバー１２２はモーター１２１を覆い、後部ネットカバー１１と固定される。
【００２３】
環状の密閉風路１１２と径方向送風通路１１１とは、前後方向に同軸で接続され、径方向送風通路１１１の位置に、さらに環状の風防リング１５が設けられ、環状の風防リング１５の軸方向寸法は、径方向送風通路１１１の軸方向寸法より大きいまたは等しいであり、環状の風防リング１５は、軸方向に径方向送風通路１１１の位置から出たり入ったりするように移動し、環状の風防リング１５が完全に径方向送風通路１１１の位置に入ると、径方向送風通路１１１を完全に遮断して、径方向送風通路１１１の閉鎖を制御し、外部の空気が径方向送風通路１１１を介して環状の密閉風路１１２に入ることを阻止する。もちろん、逆方向に環状の風防リング１５を移動すると、径方向送風通路１１１が開放される。
【００２４】
そこで、暖房する場合には、環状の風防リング１５を径方向送風通路１１１の位置に移動させ、環状の風防リング１５を径方向送風通路１１１を完全に覆い、径方向からの送風を阻止し、ブレードの回転により発生される軸方向の風は、後部ネットカバー１１の後端の送風グリル１１３から入り、かつ全てが発熱部品を通過して、吹き出される温風に冷風が混じらないようにする。もちろん、温風が必要でない場合は、環状の風防リング１５の位置を状況に応じて調整することができ、径方向送風通路を完全に開放したり、また部分的に径方向送風通路を開放したりして、ユーザの好みに応じて送風の風量の調節を行う。
【００２５】
図４に示すように、環状の風防リング１５は、環状の密閉風路１１２と発熱部品１３との間の径方向送風通路１１１の位置に移動可能に設けられ、環状の風防リング１５の大きさは、径方向送風通路１１１を封鎖できる大きさであり、ここの大きさは、面積、直径、寸法、形状などを含み、径方向送風通路１１１を封鎖することを目的とする。本発明で採用された環状の風防リング１５は、筒状の環状シェルであると好ましく、後部ネットカバーの外側または内側にスリーブされ、後部ネットカバー１１と軸方向にスライド接続が形成され、本発明では、環状の風防リング１５を後部ネットカバー１１の内側に配置すると好ましい。
【００２６】
後部ネットカバー１１には、軸方向に配置されたガイド溝またはガイド筋が設けられ、環状の風防リング１５のシェルに、ガイド筋またはガイド溝が対応して設けられ、この組み合わせにより、前記環状の風防リング１５は、前記後部ネットカバー１１に沿って軸方向にスライドして、径方向送風通路１１１の開閉が実現される。また、ガイド特徴を発熱ブラケット１３１および環状の風防リング１５に配置してもよく、環状の風防リング１５には二つ以上のガイド特徴を有し、ガイド特徴は凹状であってもよく、凸状であってもよい。ガイド特徴は発熱ブラケット１３１上の対応するガイド特徴と一致してもよく、ガイド特徴の具体的な整合断面と形状は、本発明では限定されない。ガイド特徴は本発明においてただの例示とし、ガイド作用がある他の特徴または方法を使用してもよく、本発明では限定されない。ガイド作用は、環状の風防リング１５が前後方向によりスムーズにスライドするようにして、環状の風防リング１５が円周方向に回転することを阻止するためにある。
【００２７】
図２に示すように、発熱部品１３は、発熱ブラケット１３１と発熱体１３２とを含み、発熱ブラケット１３１内に、周方向に密閉された軸方向通風路ａが形成され、図６に示すように、発熱体１３２は、発熱ブラケット１３１の軸方向通風路ａ内に固定され、また、発熱ブラケット１３１と後部ネットカバー１１とは着脱可能な固定接続が形成され、ブレード１４が発生する風を、軸方向通風路ａと発熱体１３２を通って環状の密閉風路１１２に入って、排出されるようにする。ここで、発熱体１３２は、従来技術を用いて、その構造的特徴を詳しく説明しない。
【００２８】
環状の風防リング１５が発熱ブラケット１３１の内側面に配置される場合を例として説明すると、本発明において、さらに環状の風防リング１５にトグルハンドル１６が設けられ、トグルハンドル１６は、発熱ブラケット１３１上の軸方向長手孔ｂを径方向に貫通し、後部ネットカバー１１の外側面から突出し、トグルハンドル１６を軸方向に動かすことにより、環状の風防リング１５が発熱ブラケット１３１の側面に沿って移動され、環状の風防リング１５が徐々に後部ネットカバー１１上の径方向送風通路１１１を閉鎖または開放するようにする。ここのトグルハンドル１６は、環状の風防リング１５のエッジに固定されると好ましく、トグルハンドル１６は、一つ又は複数であり、ここで、限定されない。環状の風防リング１５とトグルハンドル１６とは、一つの部品になっても良く、分離された部品から構成されるコンポーネントであっても良く、本発明では限定されない。トグルハンドル１６は、環状の風防リング１５を便利に動かすためにあるものにすぎない。
【００２９】
図６及び図７に示すように、発熱ブラケット１３１の構造から明確なように、発熱ブラケットの内側に形成された軸方向通風路ａは、円錐状風路であり、軸方向通風路ａの通風断面の寸法は、ブレード１４に向かう方向に減少していき、周囲の空気を効率的に収集して、送風気流が形成され、送風感がより強くなる。
【００３０】
ここで、径方向送風通路１１１は、後部ネットカバー１１に軸方向に設けられた複数列のグリルまたは排気孔であり、後部ネットカバー１１の通気構造のメッシュのサイズ等を具体的に限定しない。
【００３１】
後部ネットカバー１１の外側面とベース２とは回転接続が形成され、ベース２の構造は、従来技術であり、ここで詳しく説明しない。
【００３２】
図２に示すように、本発明におけるモーター１２１と軸と、前部ネット１７と、後部ネットカバー１１と、ブレード１４とは、中心軸線で配置され、特に、後部ネットカバー１１と発熱ブラケット１３１と、環状の密閉風路１１２とは、一つの中心軸線で配置される。
【００３３】
環状の風防リング１５は、ガイド溝またはガイド筋のガイド特徴の補助およびトグルハンドル１６の作用で、中心軸線の方向に沿って移動またはスライドして、径方向送風通路１１１を閉鎖または開放させ、径方向に送風の風量を調節する。もちろん、環状の風防リング１５を制御するのは、手動駆動であってもよく、自動駆動の方式を採用しても良い。環状の風防リング１５を自動駆動の方式で移動する場合、自動駆動装置は、伝動構造とモータドライブにより構成されてもよく、例えば、電動プッシュロッドを介して環状の風防リング１５を前後方向に移動させるなど、ここで詳しく説明しない。
【００３４】
図５及び図７に示すように、温風が必要な場合は、手動で環状の風防リング１５を動かし、径方向送風通路１１１を閉鎖して、軸方向の送風のみ実現して、送風の面積と風量を減少させ、前部ネット１７から吹き出される風をより温かく、温風をより均一にすることができる。
図４及び図６に示すように、冷風が必要な場合は、手動で環状の風防リング１５を動かし、径方向送風通路１１１を開放して、径方向と軸方向は同時に送風を実現して、送風の面積と風量を増大させ、前部ネット１７から吹き出される風をより大きく、より涼しいにすることができる。
【００３５】
上記のように、径方向送風通路が開放又は閉鎖される状態は、本発明を実施するための二つ最も基本的な形態であり、もちろん、これらの二つの状態の間に、任意に径方向送風の風量を調節してもよく、径方向送風通路の開閉の大きさは、製品設計の実際のニーズに依存し、手動又は自動の開閉方法の選択も製品の価値付けに依存する。
【００３６】
上記の実施形態は、本発明を説明するために提示されたものであり、本発明は上述した各実施形態に限定されるものではなく、請求項に示した範囲で種々の変更が可能であり、異なる実施形態にそれぞれ開示された技術的手段を適宜組み合わせて得られる実施形態についても本発明の保護範囲に含まれる。
【符号の説明】
【００３７】
１      本体
１１    後部ネットカバー
１１１  径方向送風通路
１１２  環状の密閉風路
１１３  送風グリル
１２    駆動装置
１２１  モーター
１２２  モーターカバー
１３    発熱部品
１３１  発熱ブラケット
１３２  発熱体
１４    ブレード
１５    環状の風防リング
１６    トグルハンドル
１７    前部ネット
２      ベース
ａ      軸方向通風路
ｂ      軸方向長手孔
ｃ      ガイド溝またはガイド筋
【要約】      （修正有）【課題】冷風量を調節し、ユーザの暖房における体感を改善する。【解決手段】ブレード１４と発熱部品１３の間に位置する後部ネットカバー１１に、環状の径方向送風通路１１１と環状の密閉風路１１２を設け、径方向送風通路の位置に、環状の風防リング１５を設ける。環状の風防リングは、軸方向寸法を、径方向送風通路の軸方向寸法よりも大きいかまたは等しく設定し、軸方向に径方向送風通路の位置から出たり入ったりして移動可能とする。環状の風防リング１５の配置により、環状の風防リングは、径方向送風通路の開閉を制御し、冷風と温風を切り替え可能とする。【選択図】図２【図１】
0006912631.tif 000002
【図２】
0006912631.tif 000003
【図３】
0006912631.tif 000004
【図４】
0006912631.tif 000005
【図５】
0006912631.tif 000006
【図６】
0006912631.tif 000007
【図７】
0006912631.tif 000008